(57)【要約】【課題】  媒体を限定せずに発色性と画像堅牢性（耐光性、耐ガス性）の両立を図ることが可能であるインク、特に、ブルー領域の発色性を有するインク及びこれを用いたインクジェット記録方法の提供である。【解決手段】  下記構造式で示される染料Ａと、該染料Ａ以外のシアン染料を色材として少なくとも含有することを特徴とするインク。【選択図】  なし【特許請求の範囲】
【請求項１】
下記構造式で示される染料Ａと、該染料Ａ以外のシアン染料とを色材として少なくとも含有することを特徴とするインク。
2005162938.tif 000008
（上記式中、Ｒ1は、下記の何れかで示される構造であり、
2005162938.tif 000009
【請求項２】
前記染料Ａ以外のシアン染料が、C.I.Direct Blue 199である請求項１に記載のインク。
【請求項３】
前記染料Ａ以外のシアン染料が、C.I.Reactive Blue 14である請求項１に記載のインク。
【請求項４】
前記染料Ａ以外のシアン染料が、C.I.Reactive Blue 14の加水分解物である請求項１に記載のインク。
【請求項５】
前記染料Ａと前記染料Ａ以外のシアン染料との混合比が質量比で染料Ａ：染料Ａ以外のシアン染料＝５：１〜１：５の範囲である請求項１〜４の何れか１項に記載のインク。
【請求項６】
請求項１〜５の何れか１項に記載のインクを少なくとも使用するインクジェット記録方法であって、記録媒体への該インク打込み量が３×１０-5〜６×１０-5ｍｌ／ｍ2の時の上記記録媒体上での画像のＬ*、Ｃ*、ｈが下記の範囲をとることを特徴とするインクジェット記録方法。
Ｌ*≧１５  Ｃ*≧７０  ２７０≦ｈ≦３１５
【発明の詳細な説明】
【技術分野】
【０００１】
本発明はインクジェット記録用インク及びインクジェット記録方法に関し、更に詳しくは画像の発色性と堅牢性に優れたブルーの色調を有するインク及びこれを使用したインクジェット記録方法に関する。
【背景技術】
【０００２】
インクジェット記録方式は、種々の動作原理によりインクの微小液滴を飛翔させて記録媒体（紙等）に付着させ、画像や文字等の記録を行う方法であり、高速、低騒音、多色化が容易、記録パターンの融通性が高い、現像及び定着が不要等の特徴があり、様々な用途において急速に普及している。特に近年、吐出液滴の微小化、濃淡インクの採用、画像処理技術の向上により、その画質は従来の銀塩方式により得られる画像と遜色ないレベルにまで到達している。
【０００３】
又、更なる画質向上の手段として、従来から使用されているイエロー、マゼンタ、シアン、ブラックの他にオレンジ、グリーン、ブルー等の所謂特色インクを用いるカラープリンターがラージフォーマット、捺染等の分野で上市されている。上記分野で使われる特色インク用の色材は顔料か、反応性染料である（特許文献１）。
【０００４】
しかしながら、これらの色材は特定の記録媒体上では発色性が良好で耐光性、耐ガス性等の画像堅牢性も良好であり得るが、一般ユーザーがデジタルカメラ等で得たフォト画像を印刷するのに用いるインクジェット用光沢紙、光沢フィルム、マットコート紙、コート紙、普通紙、ＯＨＰ用フィルム等の記録媒体上では発色性と耐光性、耐ガス性等の画像堅牢性の両者を満足する色材ではなかった。
【０００５】
即ち、色材として顔料を用いたインクの場合、形成される画像の堅牢性は充分であるが、インクの発色性に関しては顔料用に特別に用意された記録媒体でなければ発色性の優れた画像は得られないし、又、そのような特別な記録媒体であっても画像の光沢感は染料インクによる画像と比べて劣るものであった。
【０００６】
又、顔料インクを使用した場合の画像の光沢感の問題として、顔料が記録媒体上に存在する画像形成部と非画像形成部との光沢感の差も、染料インクで形成されるインクジェットフォト画像と同等レベルの高画質を求める場合には課題となる。
【０００７】
又、捺染分野で使われる反応性染料は、捺染用布帛に印字した後、スチーミング等の後処理等により染料と布帛を結合させることにより染料画像が初めて定着するものであり、これをコンシューマー系のプリンターに搭載することはきわめて困難である。以上述べたことが、従来から公知の特色用色材の課題である。
【０００８】
又、現在多くのインクジェットプリンターが採用している水溶性染料の技術に関して述べると、従来公知のブルー染料で、本発明に使用できる色域に発色性を有する染料として、例えば、C.I.Acid Blue 62、80、90、104、112、203、204等が挙げられるが、何れも画像堅牢性、即ち、耐光性、耐ガス性の両方又は何れかの性能が著しく悪く、使用には耐えられないものであった。
【０００９】
【特許文献１】特開２００２−８８２７９公報
【発明の開示】
【発明が解決しようとする課題】
【００１０】
従って、本発明の目的は、上記した従来技術の問題を解決し、記録媒体を限定せずに発色性と画像堅牢性（耐光性、耐ガス性）の両立を図ることが可能であるインク、特に、ブルー領域の発色性を有するインク及びこれを用いたインクジェット記録方法の提供である。ここで本発明におけるブルー領域とはＬ*Ｃ*ｈ表色系で２７０≦ｈ≦３１５の領域の色相（Ｈｕｅ）を意味する。
【課題を解決するための手段】
【００１１】
上記目的は以下の本発明によって達成される。即ち、本発明は、下記構造式で示される染料Ａと、該染料Ａ以外のシアン染料とを色材として少なくとも含有することを特徴とするインクを提供する。
2005162938.tif 000002
【００１２】
（上記式中、Ｒ1は、下記の何れかで示される構造であり、
2005162938.tif 000003
【００１３】
上記本発明においては、前記染料Ａ以外のシアン染料が、C.I.Direct Blue 199、C.I.Reactive Blue 14、C.I.Reactive Blue 14の加水分解物であること；前記染料Ａと前記染料Ａ以外のシアン染料との混合比が質量比で染料Ａ：染料Ａ以外のシアン染料＝５：１〜１：５の範囲であることが好ましい。
【００１４】
又、本発明は、前記本発明のインクを少なくとも使用するインクジェット記録方法であって、記録媒体への該インク打込み量が３×１０-5〜６×１０-5ｍｌ／ｍ2の時の上記記録媒体上での画像のＬ*、Ｃ*、ｈが下記の範囲をとることを特徴とするインクジェット記録方法を提供する。
Ｌ*≧１５  Ｃ*≧７０  ２７０≦ｈ≦３１５
【発明の効果】
【００１５】
本発明によれば、記録媒体を限定せずに発色性と画像堅牢性（耐光性、耐ガス性）の両立を図ることが可能であるインク、特に、ブルー領域での優れた発色性を有するインク及びこれを用いたインクジェット記録方法を提供できる。
【発明を実施するための最良の形態】
【００１６】
以下に好ましい実施の形態を挙げて、本発明を更に詳細に説明する。
本発明のインクの色材としての染料の主成分は、ブルー領域の色調を有する前記染料Ａであり、該染料Ａは、その水溶性を高める意味でＮａ塩、Ｋ塩、Ｌｉ塩のようなアルカリ金属塩として用いてもよいし、アルコールアミン、例えば、モノエタノールアミン、トリエタノールアミンのような有機塩として用いても構わない。上記染料Ａのインク中での好ましい含有量は０．５〜１０質量％であり、これよりも含有量が少ないと充分な発色性が得られず、含有量がこれよりも多くなるとノズル先端での染料析出による固着等の問題を起こしやすくなり好ましくない。
【００１７】
前記C.I.Direct Blue 199、C.I.Reactive Blue 14又はC.I.Reactive Blue 14の加水分解物は、画像の色調を青みによせるための前記染料Ａの調色用の染料として用いるが、該調色用の染料は形成される画像の耐候性を向上させる効果もある。
【００１８】
上記調色用の染料のインク中の含有量として好ましくは、０．１〜１０質量％である。調色用の染料の含有量がこれよりも少ないと調色の効果がなくなり、調色用の染料の含有量がこれよりも多くなるとノズル先端での染料析出によるインクの固着等の問題を起こしやすくなり好ましくない。又、これらの調色用の染料と前記染料Ａとの質量混合比は前者：後者＝１：５〜５：１が好ましい。
【００１９】
本発明のインクは、前記染料Ａと前記染料Ａ以外のシアン染料とをインク溶媒に溶解して得られる。インク溶媒としては、水、又は水と水溶性有機溶剤との混合物が好ましく使用される。水溶性有機溶剤としては、例えば、メタノール、エタノール、イソプロピルアルコール等の１価アルコール類、アセトン、ジアセトンアルコール等のケトン又はケトアルコール類；テトラヒドロフラン、ジオキサン等のエーテル類；ジエチレングリコール、トリエチレングリコール、テトラエチレングリコール、ジプロピレングリコール、トリプロピレングリコール、ポリエチレングリコール、ポリプロピレングリコール等のオキシエチレン又はオキシプロピレン付加重合体；エチレングリコール、プロピレングリコール、トリメチレングリコール、ブチレングリコール、ヘキシレングリコール等のアルキレン基が２〜６個の炭素原子を含むアルキレングリコール類；１，２，６−ヘキサントリオール等のトリオール類；チオジグリコール；グリセリン；エチレングリコールモノメチル（又はエチル）エーテル、ジエチレングリコールモノメチル（又はエチル）エーテル、トリエチレングリコールモノメチル（又はエチル）エーテル等の多価アルコールの低級アルキルエーテル類；トリエチレングリコールジメチル（又はエチル）エーテル、テトラエチレングリコールジメチル（又はエチル）エーテル等の多価アルコールの低級ジアルキルエーテル類等が挙げられる。
【００２０】
上記水溶性有機溶剤の含有量は、一般的にはインクの全質量に対して質量％で１〜４０質量％、好ましくは２〜３０質量％の範囲である。上記の如き水溶性有機溶剤を併用する場合は単独でも混合物としても使用できるが、好ましい水溶性有機溶剤は、１価アルコール類、ケトン類、グリセリン、エチレングリコール、ジエチレングリコール、トリエチレングリコール、テトラエチレングリコール、チオジグリコール、プロピレングリコール、ジプロピレングリコール、トリプロピレングリコール及びその誘導体（中でもそのアルキルエーテル類）である。
【００２１】
更にインク中には必要に応じて、従来公知の保湿剤、界面活性剤、ｐＨ調整剤、粘度調整剤、防かび剤、酸化防止剤、紫外線吸収剤等の材料を添加してもよい。保湿剤の添加量は１〜３０質量％の範囲が好ましく、更に好適には３〜２０質量％の範囲が望ましい。界面活性剤の添加量は０．０１〜１０質量％の範囲が好ましく、更に好適には０．０５〜３質量％の範囲が望ましい。インクの好ましい物性は粘度、表面張力、ｐＨ（何れも２５℃）について下記の通りである。粘度は１．５〜１０ｃｐｓの範囲が好ましく、１．８〜５ｃｐｓの範囲であれば更に好ましい。表面張力は２５〜４５ｄｙｎ／ｃｍの範囲が好ましい。ｐＨの好ましい範囲は４〜１０、更に６〜９の範囲が好ましい。
【００２２】
前記染料Ａ、前記調色用のシアン染料、水、水溶性有機溶剤、その他の添加剤を含有するインクの好ましい色調について述べる。尚、本発明で述べるブルー（領域）の色調、オレンジ（領域）の色調、グリーン（領域）の色調とはＬ*Ｃ*ｈ表色系のｈ（色相角）でそれぞれ下記の範囲を意味する。
・ブルー；２７０≦ｈ≦３１５
・オレンジ；４５≦ｈ≦９０
・グリーン；１３０≦ｈ≦１６０
【００２３】
上記染料Ａと前記染料Ａ以外のシアン染料とを含有するインクの記録媒体上での好ましいＣ*、Ｌ*、ｈの値は、下記の範囲に入ることが好ましい。
インクの記録媒体上での打込み量が３×１０-5〜６×１０-5ｍｌ／ｍ2のときに、
Ｌ*≧１５  Ｃ*≧７０  ２７０≦ｈ≦３１５
特に、このような発色特性は、インクジェット用の光沢紙、マット紙、コート紙等のインクジェット記録に特に適した高画質用記録媒体上で得られることが好ましい。
【００２４】
本発明は、ブルー領域の色調を呈するインクの発明であるが、本発明のインクに加えて更にグリーン及びオレンジの色調を呈するインクの少なくとも一つと併用することがプリンター全体の色再現性を向上させる点から好ましい。上記オレンジインク及びグリーンインクの好ましいＣ*、Ｌ*、ｈ値としては、ブルーインクの項で説明したように記録媒体へのインク打込み量が３×１０-5〜６×１０-5ｍｌ／ｍ2のときに下記条件を満たすことである。
・オレンジ；Ｌ*≧６０  Ｃ*≧９０  ４５≦ｈ≦９０
・グリーン；Ｌ*≧５０  Ｃ*≧７０  １３０≦ｈ≦１６０
【００２５】
このような特色インクは、従来から使用されているブラック、シアン、マゼンタ、イエロー等のインクと併用して用いられる。このような好ましいインクの組合せとしては、下記に示す如く６色ないしは７色の組合せが挙げられる。
１．ブラック、シアン、マゼンタ、イエロー、オレンジ、ブルー
２．ブラック、シアン、マゼンタ、イエロー、グリーン、ブルー
３．ブラック、シアン、マゼンタ、イエロー、オレンジ、グリーン、ブルー
【００２６】
次に本発明のインクと共に使用される他のカラーインクについて説明する。本発明のインクと共に使用されるカラーインクは前述のように現在多くのインクジェットプリンターで使われているブラック、イエロー、シアン、マゼンタであり、場合によっては更にフォトシアン、フォトマゼンタを加えてもよい。
【００２７】
上記のブラック、イエロー、シアン、マゼンタインクに使用できる着色剤は水溶性染料が最も好ましい。以下に好ましい水溶性染料を列挙するが、本発明を実施するのにあたり、本発明は下記染料に限定されるものではない。本発明において、色を記録する染料としては一般にブラック、シアン、マゼンタ、イエローであり、アニオン性の水溶性染料が挙げられる。
【００２８】
（ブラック染料）
本発明で使用できるブラック染料を以下に例示する。
Ｃ．Ｉ．ダイレクトブラック  １７、１９、２２、３１、３２、５１、６２、７１、７４、１１２、１１３、１５４、１６８；Ｃ．Ｉ．アシッドブラック  ２、４８、５１、５２、１１０、１１５、１５６；Ｃ．Ｉ．リアクティブブラック  １、８、１２、１３；Ｃ．Ｉ．フードブラック  １、２等。
【００２９】
（イエロー染料）
次に本発明で使用できるイエロー染料を以下に例示する。
Ｃ．Ｉ．ダイレクトイエロー  ８、１１、１２、２７、２８、３３、３９、４４、５０、５８、８５、８６、８７、８８、９８、１００、１１０；Ｃ．Ｉ．アシッドイエロー  １、３、７、１１、１７、２３、２５、２９、３６、３８、４０、４２、４４、７６、９８、９９等。
【００３０】
（シアン染料）
次に本発明で使用できるシアン染料を以下に例示する。
Ｃ．Ｉ．ダイレクトブルー  １、１５、２２、２５、４１、７６、７７、８０、８６、９０、９８、１０６、１０８、１２０、１５８、１６３、１６８、１９９、２２６；Ｃ．Ｉ．アシッドブルー  １、７、９、１５、２２、２３、２５、２９、４０、４３、５９、６２、７４、７８、８０、９０、１００、１０２、１０４、１１７、１２７、１３８、１５８、１６１等。
【００３１】
（マゼンタ染料）
次に本発明で使用できるマゼンタ染料を以下に例示する。
Ｃ．Ｉ．ダイレクトレッド  ２、４、９、１１、２０、２３、２４、３１、３９、４６、６２、７５、７９、８０、８３、８９、９５、１９７、２０１、２１８、２２０、２２４、２２５、２２６、２２７、２２８、２３０；Ｃ．Ｉ．アシッドレッド  ６、８、９、１３、１４、１８、２６、２７、３２、３５、４２、５１、５２、８０、８３、８７、８９、９２、９４、１０６、１１４、１１５、１３３、１３４、１４５、１５８、１９８、２４９、２６５、２８９等。
【００３２】
以上のように本発明で使用されるアニオン性基を有する水溶性染料としては、カラーインデックス（COLOUR INDEX）に記載されている水溶性の酸性染料、直接染料、反応性染料であれば特に限定はない。又、カラーインデックスに記載のない染料であっても、アニオン性基、例えば、スルホン基を有するものであれば特に制限はない。これらの染料はインク中に１〜１０質量％、好ましくは１〜５質量％の範囲で用いる。
【００３３】
本発明のインクジェット記録方法は、前記本発明のインクを使用することを特徴としている以外は、水性インクを記録媒体に付着させて印字を行うインクジェット記録方法であれば、何れの方法でも好適に用いることができる。その中でも、記録信号に応じてインクを微小なオリフィスから液滴を飛翔させて記録を行うインクジェット記録方法、とりわけオンデマンド型インクジェット記録方法に用いた場合に、より優れた効果を発揮する。
【００３４】
オンデマンド型インクジェット記録方法としては、例えば、プリンターヘッドに配列された発熱抵抗素子のヒーターによる熱エネルギーを用いて記録を行うサーマルインクジェット記録方法、プリンターヘッドに配設された圧電素子を用いて記録を行うピエゾインクジェット記録方法等が挙げられる。１例として上記熱エネルギーを用いて記録を行うサーマルインクジェット記録方法を実施するためのインクジェットプリント装置を説明する。
【００３５】
図１は本発明を適用したインクジェットプリント装置の概略構成の一例を示す模式的斜視図である。図１において、１はインクを吐出してプリントを行うためのプリントヘッドを構成するカートリッジであり、２は液体組成物を吐出するための液体組成物吐出ヘッドを構成するカートリッジである。図示の例では、異なる色のインクを用いる４個のプリント用ヘッドカートリッジ１と１個の液体組成物吐出用ヘッドカートリッジ２が使用されている。
【００３６】
プリント用の各カートリッジ１は、その上部にインクタンク部、下部にインク吐出部（プリント部）を設けた構造をしている。液体組成物用のカートリッジ２は、その上部に液体組成物タンク部、下部に液体組成物吐出部を設けた構造をしている。更に、これらカートリッジ１、２には、駆動信号等を受信するためのコネクタが設けられている。３はキャリッジである。
【００３７】
キャリッジ３上には、それぞれ異なる色のインクでプリントするための４個のプリント用ヘッドカートリッジ（プリントヘッド）１と１個の液体組成物吐出用ヘッドカートリッジ（液体組成物吐出用ヘッド）２が位置決め搭載されている。又、該キャリッジ３には各プリントヘッド１及び液体組成物吐出ヘッド２を駆動するための信号等を伝達するためのコネクタホルダーが設けられており、該コネクタホルダーを介して各ヘッドカートリッジ１、２に電気的に接続されている。
【００３８】
各プリントヘッド１は、それぞれ異なった色のインク、例えば、イエロー（Ｙ）、マゼンタ（Ｍ）、シアン（Ｃ）、ブラック（Ｂ）のインクを収納している。本図では、図示左から、イエロー、マゼンタ、シアン、ブラックの各インクのプリント用ヘッドカートリッジ（プリントヘッド）１Ｙ、１Ｍ、１Ｃ、１Ｂが搭載され、そして右端には前記液体組成物を収納した液体組成物吐出ヘッドカートリッジ（液体組成物吐出ヘッド）２が搭載されている。
【００３９】
図１において、４はキャリッジ３の主走査方向に延在し該キャリッジを摺動自在に支持する走査レール、５はキャリッジ３を往復動させるための駆動力を伝達する駆動ベルトである。また、６及び７、８及び９は、それぞれ、プリントヘッドによるプリント位置の前後に配置されて記録媒体１０の挟持搬送を行うための搬送ローラ対である。紙等の記録媒体１０は、プリント位置の部分で、プリント面を平坦に規制するためのプラテン（不図示）に圧接状態で案内支持されている。この時、キャリッジ３に搭載された各ヘッドカートリッジ（ヘッド）１、２の吐出口形成面は、該キャリッジ３から下方へ突出して記録媒体搬送用ローラ７、９間に位置し、プラテン（不図示）の案内面に圧接された記録媒体１０に平行に対向するようになっている。
【００４０】
本図のインクジェットプリント装置のプリント領域を外れた左側に設定されたホームポジションの近傍には、回復ユニット１１が配設されている。回復ユニット１１には、４個のプリントヘッド（ヘッドカートリッジ）１Ｙ、１Ｍ、１Ｃ、１Ｂに対応する４個のキャップ１２と１個の液体組成物吐出ヘッド（ヘッドカートリッジ）２に対応する１個のキャップ１３が上下方向に昇降可能に設けられている。
【００４１】
そして、キャリッジ３がホームポジションにあるときには、各ヘッド１、２の吐出口形成面に対して対応するキャップ１２、１３とが圧接接合されることにより各ヘッド１、２の吐出口が密封（キャッピング）される。キャッピングすることにより、吐出口内のインク溶剤の蒸発によるインクの増粘・固着が防止され、吐出不良の発生が防止されている。
【００４２】
また、回復ユニット１１は、各キャップ１２に連通した吸引ポンプ１４とキャップ１３に連通した吸引ポンプ１５を備えている。これらのポンプ１４、１５は、プリントヘッド１や液体組成物吐出ヘッド２に吐出不良が生じた場合に、それらの吐出口形成面をキャップ１２、１３でキャッピングして吸引回復処理を実行するのに使用される。更に、回復ユニット１１には、ゴム等の弾性部材からなる２個のワイピング部材（ブレード）１６、１７が設けられている。ブレード１６はブレードホルダー１８によって保持され、ブレード１７はブレードホルダー１９によって保持されている。
【００４３】
本発明の概略図においては、前記ブレードホルダー１８、１９は、それぞれ、キャリッジ３の移動を利用して駆動されるブレード昇降機構（不図示）により昇降され、それによって、前記ブレード１６、１７は、ヘッド（カートリッジ）１、２の吐出口形成面に付着したインクや異物をワイピングすべく突出（上昇）した位置（ワイピング位置）と吐出口形成面に接触しない後退（下降）した位置（待機位置）との間で昇降する。この場合、プリントヘッド１をワイピングするブレード１６と液体組成物吐出ヘッド２をワイピングするブレード１７は、互いに独立して、個別に昇降できるように構成されている。
【００４４】
そして、キャリッジ３が図１中右側（プリント領域側）からホームポジション側へ移動するとき、或いはホームポジション側からプリント領域側へ移動するときに、ブレード１６が各プリントヘッド１の吐出口形成面と当接し、ブレード１７が液体組成物吐出ヘッド２の吐出口形成面と当接し、相対移動によってそれらの吐出口形成面の拭き取り（ワイピング）動作が行われる。
【００４５】
また、図１においては、プリントヘッド１用のキャップ１２と液体組成物吐出ヘッド２用のキャップ１３とを別々にして互いに独立させ（専用にし）、更に、これらのキャップ１２、１３に接続される吸引ポンプ１４、１５もプリントヘッド１用と液体組成物吐出ヘッド２用とに独立させて別々（専用）にした。これにより、キャップ１２、１３及びポンプ１４、１５内において、インクと該インクと反応性を有する液体組成物とを接触させることなく、これらの廃液を処理することができ、高い信頼性を維持することが可能になる。
【実施例】
【００４６】
次に実施例を挙げて本発明を具体的に説明する。本発明は、その要旨を超えない限り、下記実施例により限定されるものではない。尚、文中「部」又は「％」とあるのは特に断りのない限り質量基準である。
下記染料Ａ１、Ａ２、Ａ３を合成した。
【００４７】
2005162938.tif 000004
上記染料Ａ１の水溶液の吸収スペクトルの可視部の極大吸収波長λｍａｘ＝５４２ｎｍ
【００４８】
2005162938.tif 000005
上記染料Ａ２の水溶液のλｍａｘ＝５３９ｎｍ
【００４９】
2005162938.tif 000006
上記染料Ａ３の水溶液のλｍａｘ＝５３５ｎｍ
【００５０】
実施例１〜１０
次に、上記で得られた染料Ａ１、Ａ２、Ａ３を使用して、下記組成のインクを作製した。尚、インク１〜１０は、インクの各成分を混合後、ろ過前に０．１Ｎ−ＮａＯＨ水溶液でｐＨを８に調整した。
【００５１】
（インク１の作製）
下記成分を混合し、更にポアサイズが０．２ミクロンのメンブレンフィルターにて加圧濾過し、本発明のインク１を得た。
・染料Ａ１                                  ４部
・Ｃ．Ｉ．アシッドブルー９                  １部
・ジエチレングリコール                      ５部
・グリセリン                              １０部
・アセチレノールＥＨ（川研ファインケミカル製）
１部
・イオン交換水                            ７９部
【００５２】
（インク２の作製）
下記成分を混合し、更にポアサイズが０．２ミクロンのメンブレンフィルターにて加圧濾過し、本発明のインク２を得た。
・染料Ａ１                                  ４部
・Ｃ．Ｉ．ダイレクトブルー１９９            １部
・ジエチレングリコール                      ５部
・グリセリン                              １０部
・アセチレノールＥＨ（川研ファインケミカル製）
１部
・イオン交換水                            ７９部
【００５３】
（インク３の作製）
下記成分を混合し、更にポアサイズが０．２ミクロンのメンブレンフィルターにて加圧濾過し、本発明のインク３を得た。
・染料Ａ１                              ２．５部
・Ｃ．Ｉ．ダイレクトブルー１９９        ２．５部
・ジエチレングリコール                      ５部
・グリセリン                              １０部
・アセチレノールＥＨ（川研ファインケミカル製）
１部
・イオン交換水                            ７９部
【００５４】
（インク４の作製）
下記成分を混合し、更にポアサイズが０．２ミクロンのメンブレンフィルターにて加圧濾過し、本発明のインク４を得た。
・染料Ａ１                                  １部
・Ｃ．Ｉ．ダイレクトブルー１９９            ４部
・ジエチレングリコール                      ５部
・グリセリン                              １０部
・アセチレノールＥＨ（川研ファインケミカル製）
１部
・イオン交換水                            ７９部
【００５５】
（インク５の作製）
下記成分を混合し、更にポアサイズが０．２ミクロンのメンブレンフィルターにて加圧濾過し、本発明のインク５を得た。
・染料Ａ２                                  ４部
・Ｃ．Ｉ．リアクティブブルー１４            ２部
・ジエチレングリコール                      ５部
・グリセリン                              １０部
・アセチレノールＥＨ（川研ファインケミカル製）
１部
・イオン交換水                            ７８部
【００５６】
（インク６の作製）
下記成分を混合し、更にポアサイズが０．２ミクロンのメンブレンフィルターにて加圧濾過し、本発明のインク６を得た。
・染料Ａ２                                  ３部
・Ｃ．Ｉ．リアクティブブルー１４            ３部
・ジエチレングリコール                      ５部
・グリセリン                              １０部
・アセチレノールＥＨ（川研ファインケミカル製）
１部
・イオン交換水                            ７８部
【００５７】
（インク７の作製）
下記成分を混合し、更にポアサイズが０．２ミクロンのメンブレンフィルターにて加圧濾過し、本発明のインク７を得た。
・染料Ａ２                                  ２部
・Ｃ．Ｉ．リアクティブブルー１４            ４部
・ジエチレングリコール                      ５部
・グリセリン                              １０部
・アセチレノールＥＨ（川研ファインケミカル製）
１部
・イオン交換水                            ７８部
【００５８】
（インク８の作製）
下記成分を混合し、更にポアサイズが０．２ミクロンのメンブレンフィルターにて加圧濾過し、本発明のインク８を得た。
・染料Ａ３                                  ４部
・Ｃ．Ｉ．リアクティブブルー１４加水分解物  ２部
・ジエチレングリコール                      ５部
・グリセリン                              １０部
・アセチレノールＥＨ（川研ファインケミカル製）
１部
・イオン交換水                            ７８部
尚、上記の「Ｃ．Ｉ．リアクティブブルー１４の加水分解物」は、特開２００２−８８２７９公報に記載されている方法により調製した（以下インク９及び１０においても同じ）。
【００５９】
（インク９の作製）
下記成分を混合し、更にポアサイズが０．２ミクロンのメンブレンフィルターにて加圧濾過し、本発明のインク９を得た。
・染料Ａ３                                  ３部
・Ｃ．Ｉ．リアクティブブルー１４加水分解物  ３部
・ジエチレングリコール                      ５部
・グリセリン                              １０部
・アセチレノールＥＨ（川研ファインケミカル製）
１部
・イオン交換水                            ７８部
【００６０】
（インク１０の作製）
下記成分を混合し、更にポアサイズが０．２ミクロンのメンブレンフィルターにて加圧濾過し、本発明のインク１０を得た。
・染料Ａ３                                  ２部
・Ｃ．Ｉ．リアクティブブルー１４加水分解物  ４部
・ジエチレングリコール                      ５部
・グリセリン                              １０部
・アセチレノールＥＨ（川研ファインケミカル製）
１部
・イオン交換水                            ７８部
【００６１】
上記のように作製したインクをＢＪＦ−９００用のインクカートリッジに詰めＢＪＦ−９００を用いて１２００×１２００ｄｐｉの解像度で１ノズルあたり４．５ｐｌの吐出量でベタ画像を形成し、発色性、耐光性、耐ガス性を評価した。プリントに使用した記録媒体はキヤノン（株）製インクジェット用光沢メディアＰＲ−１０１を使用した。評価方法を以下に記す。尚、何れの試験も印字後、常温、常湿下において１２時間以上放置した後に評価を行った。
【００６２】
（１）発色性
・評価装置；マクベス社製Ｃｉ３５
・評価方法；試験サンプルのＬ*、ａ*、ｂ*を測定し、該測定値から下記式によりＣ*及びｈを算出した。
Ｃ*＝（ａ*2＋ｂ*2）1/2
ｈ＝ｔａｎ-1（ｂ*／ａ*）
【００６３】
（２）耐光性
・装置；アトラス（社）製アトラスフェードメータ
・暴露条件；キセノンランプ０．３９Ｗ／ｍ2  ３０時間
・評価装置；発色性評価に用いたのと同じ
・評価方法；試験前後のＣＩＥＬａｂ空間における色差（ΔＥ）を測定
【００６４】
（３）耐ガス性
自作の装置を用いて下記の条件でオゾンを印字物に暴露した。
・暴露条件；オゾン濃度  ３ｐｐｍで２時間確保
・評価装置；発色性評価に用いたのと同じ装置
・評価方法；試験前後のＣＩＥＬａｂ空間における色差（ΔＥ）を測定
・評価結果を下記表１に示す。尚、下記表１においてインクとは明細書中に記載のインクを示す。
【００６５】
2005162938.tif 000007
上記表１に示されるように本発明のブルーインクは発色性が良好であり、耐光性、耐ガス性も良好であることがわかる。
【産業上の利用可能性】
【００６６】
本発明によれば、記録媒体を限定せずに発色性と画像堅牢性（耐光性、耐ガス性）の両立を図ることが可能であるインク、特に、ブルー領域の発色性を有するインク及びこれを用いたインクジェット記録方法を提供できる。
【図面の簡単な説明】
【００６７】
【図１】本発明を適用したインクジェットプリント装置を模式的に示す一部破断斜視図である。
【符号の説明】
【００６８】
１：プリント用カートリッジ（プリントヘッド）
２：液体組成物吐出用カートリッジ（液体組成物吐出ヘッド）
３：キャリッジ
４：ガイド軸（走査レール）
５：駆動ベルト
６、７：搬送ローラ
８、９：搬送ローラ
１０：記録媒体
１１：回復ユニット
１２：キャップ（プリントヘッド用）
１３：キャップ（液体組成物吐出ヘッド用）
１４：吸引ポンプ（インク用）
１５：吸引ポンプ（液体組成物用）
１６：ブレード（記録ヘッド用）
１７：ブレード（液体組成物吐出ヘッド用）
１８、１９：ブレードホルダー
【図１】
2005162938.tif 000010